(57)【特許請求の範囲】
【請求項１】
基台と、この基台に水平方向に回転自在に支受された陳列品載置板と、この陳列品載置板の上側にこの陳列品載置板との間に所定間隔をあけて配設される位置決め板とを備え、この位置決め板に、上記陳列品載置板の回転中心に対応する部分を中心として放射状に延びる複数の溝穴で構成される仕切り板挿通穴を穿設し、上記各溝穴に仕切り板の下部を挿通することにより、上記陳列品載置板上に複数の仕切り板が陳列品載置板の回転中心を中心としてその回転方向に沿って所定間隔で配設され、これら複数の仕切り板により上記陳列品載置板上の空間が複数の領域に仕切られ、上記領域を構成する左右一対の仕切り板の上部に、上記陳列品載置板の回転中心側に向かって平面視アーチ状に湾曲した状態で、上記両仕切り板の上部をまたぐように、その領域に配置される陳列品に関する情報シートが剥離自在に貼着されていることを特徴とする陳列台。
【発明の詳細な説明】
【０００１】
【発明の属する技術分野】
本発明は、化粧料（テスター用化粧料等を含む）等の各種の陳列品を店頭等に陳列する陳列台に関するものである。
【０００２】
【従来の技術】
従来から、化粧品販売は対面販売が中心であり、顧客自身が肌に塗って試すテスター用化粧料（以下、単に「テスター品」と略す）は、通常、カウンター内もしくはその近傍に設置されたケース内に収納されており、必要に応じて販売員が取り出して顧客に供試させるようにしている。
【０００３】
ところが、最近、このような対面販売によらず、顧客自身が化粧品を選択して購入したいという要望が高まり、セルフ形式の店舗が増加している。そのため、テスター品を、顧客自身が手にとって供試できるよう、店頭で目立つように、しかも供試しやすいように陳列することが、重要な課題となってきている。特に、新シリーズのテスター品は、一まとまりにして、店頭内で顧客の注意を充分に惹きつけるよう陳列することが要求されている。
【０００４】
【発明が解決しようとする課題】
しかしながら、従来から、テスター品専用の陳列棚としては優れたものが提案されておらず、テスター品は、例えば図１５に示すように、カウンターや中央テーブル上にそのまま並べて陳列されることが多い。このような陳列態様では、テスター品の点数が多い場合に、場所をとって陳列効率が悪いだけでなく、散漫な印象を与え、購買意欲の増進につながらない。しかも、テスター品のそばでＰＯＰ広告等をする場合に、それ専用の手段（例えば、ＰＯＰ広告板を立設したもの等）を作製し、これをテスター品のそばに配設しなければならず、上記専用の手段を作製するのに費用がかかるうえ、それを配設するためのスペースがテスター品の横側方に必要となる。
【０００５】
本発明は、このような事情に鑑みなされたもので、テスター品等の陳列品を効率よく、印象的に陳列することができ、しかも、ＰＯＰ広告等が安価に行え、かつ、陳列品の横側方に広いスペースを必要としない陳列台の提供をその目的とする。
【０００６】
【課題を解決するための手段】
上記の目的を達成するため、本発明の陳列台は、基台と、この基台に水平方向に回転自在に支受された陳列品載置板と、この陳列品載置板の上側にこの陳列品載置板との間に所定間隔をあけて配設される位置決め板とを備え、この位置決め板に、上記陳列品載置板の回転中心に対応する部分を中心として放射状に延びる複数の溝穴で構成される仕切り板挿通穴を穿設し、上記各溝穴に仕切り板の下部を挿通することにより、上記陳列品載置板上に複数の仕切り板が陳列品載置板の回転中心を中心としてその回転方向に沿って所定間隔で配設され、これら複数の仕切り板により上記陳列品載置板上の空間が複数の領域に仕切られ、上記領域を構成する左右一対の仕切り板の上部に、上記陳列品載置板の回転中心側に向かって平面視アーチ状に湾曲した状態で、上記両仕切り板の上部をまたぐように、その領域に配置される陳列品に関する情報シートが剥離自在に貼着されているという構成をとる。
【０００７】
すなわち、本発明の陳列台は、基台に水平方向に回転自在に支受された陳列品載置板上に、複数の仕切り板が陳列品載置板の回転中心を中心としてその回転方向に沿って所定間隔で配設され、これら複数の仕切り板により上記陳列品載置板上の空間が複数の領域に仕切られている。したがって、上記各領域に陳列品を陳列して陳列品載置板を回転させると、この陳列品載置板に対し、どの方向から手を伸ばしても、目的とする陳列品を詳細に観察したり、手にとったりすることができる。しかも、関連ある陳列品をコンパクトかつ印象的に陳列することができるため、顧客へのアピール度が高い。しかも、本発明の陳列台は、上記領域を構成する左右一対の仕切り板をまたぐように、その領域に配置される陳列品に関する情報シートが着脱自在に設けられているため、上記左右一対の仕切り板に情報シートを貼着する等、仕切り板を利用して情報シートによるＰＯＰ広告等を行うことができる。したがって、ＰＯＰ広告等が安価に行え、かつ、陳列品の横側方に広いスペースを必要としない。
【０００８】
しかも、上記陳列品の種類に応じて情報シートを交換することにより、各種の陳列品に応じたＰＯＰ広告等が可能になる。
【０００９】
本発明では、上記左右一対の仕切り板の上部に上記情報シートが剥離自在に貼着されているため、専用の支受具等を用いることなく、上記左右一対の仕切り板の上部に情報シートを着脱自在に設けることができ、安価である。
【００１０】
【発明の実施の形態】
つぎに、本発明の実施の形態を図面にもとづいて詳しく説明する。
【００１１】
図１〜図３は本発明の陳列台の一実施の形態を示している。図において、１は正方形状平板体に形成された基板（基台）であり、２は５種類のテスター品６〜１０（図２参照）を陳列する陳列部であり、３は上記陳列部２を水平方向に回転自在に支受する回転手段である。この回転手段３は、上記基板１にボルト，ナット（ともに図示せず）で固定される下側固定部４と、上記陳列部２の陳列品載置板１１にボルト，ナット（ともに図示せず）で固定される上側固定部５と、上下両固定部４，５を相対回転自在に連結する回転連結部（図示せず）とを備えている。
【００１２】
上記陳列部２は、図４および図５に示すように、陳列品載置板１１と、この陳列品載置板１１に立設される仕切り手段１２と、上記陳列品載置板１１との間に所定間隔をあけて配設される位置決め板１３と、上記仕切り手段１２に貼着される５枚の情報シート１４（図２および図３参照）とからなる。上記陳列品載置板１１は、その上面に上記各テスター品６〜１０を載置するためのものであり、円形状平板体に形成されている。
【００１３】
上記仕切り手段１２は、図６〜図８に示すように、一方の長片が三角形状に切り欠き形成された５枚の仕切り板１２ａ（各仕切り板１２ａはスリガラス状のプラスチック板からなり、同形状に形成されている）で構成されており、上記各仕切り板１２ａの切り欠き形成部を合わせて接着するとともに上記各仕切り板１２ａを上記回転方向（図２の矢印参照）に沿って等角度に配設して放射状に並べたもので構成されている。上記仕切り手段１２の上端部には、隣接する両仕切り板１２ａ間に丸棒１５が配設されており、各丸棒１５と、これに隣接する両仕切り板１２ａとが互いに当接した状態で接着されている。また、上記各仕切り板１２ａの底面は上記陳列品載置板１１の上面に接着されている。このような仕切り手段１２は、上記各仕切り板１２ａの切り欠き形成部を合わせた部分が中心部分となり、この中心部分が上記陳列品載置板１１の中心部分に位置決めされている。そして、上記仕切り手段１２を構成する５枚の仕切り板１２ａにより、上記陳列品載置板１１上の空間が５つの領域に仕切られている。
【００１４】
上記位置決め板１３は、その直径が上記陳列品載置板１１の直径と同じ円形状透明平板体に形成されている。また、上記位置決め板１３には、上記仕切り手段１２の下部が挿通する仕切り板挿通穴１６が穿設されている。この仕切り板挿通穴１６は、図９に示すように、上記位置決め板１３の中央部分から５本の溝穴１６ａを上記回転方向に沿って等角度に穿設して放射状に延ばしたもので構成されており、上記位置決め板１３の中央部分で各溝穴１６ａの内端が一連に繋がっている。これら各溝穴１６ａの溝幅は上記仕切り手段１２の各仕切り板１２ａの板厚より広く形成されており、上記挿通状態で各溝穴１６ａに各仕切り板１２ａが遊嵌状に係合している。また、上記位置決め板１３には、各溝穴１６ａの間に、上記各テスター品６〜１０を位置決め固定するテスター品挿通穴１７〜２１が穿設されている。
【００１５】
上記位置決め板１３の下面には、図１０および図１１に示すように、各溝穴１６ａの内端同士が繋がる部分に、隣接する２つの溝穴１６ａに沿うようにして、く字状の固定片２２の上面が接着されている。そして、これら４個の固定片２２で形成される隙間に上記仕切り手段１２の各仕切り板１２ａが挿通されており、その挿通状態で、上記各仕切り板１２ａの側面と、これに対面する上記固定片２２の側面とが当接状に接着されている。また、上記各固定片２２の下面が上記陳列品載置板１１の上面に接着されている。
【００１６】
上記５枚の情報シート１４はそれぞれ、左上側の角部からつまみ部１４ａが突出形成された略長方形状の紙製シートからなり（図１２参照）、その左右両側部が上記仕切り手段１２の左右一対（すなわち、隣接する２つ）の仕切り板１２ａの上部に、平面視アーチ状に湾曲した状態でまたがるようにして、剥離自在に貼着されている。また、上記５枚の情報シート１４には、その表面に、上記各テスター品６〜１０に関するＰＯＰ広告等の情報が記載されている。
【００１７】
すなわち、１枚目の情報シート１４には、つまみ部１４ａに「ワックス」と、横長枠１４ｂの内側に「軽いセット力でスピーディーにアレンジ」と、横長枠１４ｂの下側に「根元を立ち上げたり、部分的なアレンジに最適なジェル状ワックスです。」と、一対の楕円枠１４ｃの内側に「補修，自由にアレンジ」と記載されており、一対の楕円枠１４ｃの下側にスタイリングワックスの価格，有効成分等が記載されている。
【００１８】
また、２枚目の情報シート１４には、つまみ部１４ａに「フォーム」と、横長枠１４ｂの内側に「美しいスタイルを長時間キープ」と、横長枠１４ｂの下側に「ウエットなつやとハードなセット力で長時間スタイリングを美しくキープするスタイリングフォームです。」と、一対の楕円枠１４ｃの内側に「補修，強力にセット」と記載されており、一対の楕円枠１４ｃの下側にスタイリングフォームの価格，有効成分等が記載されている。
【００１９】
また、３枚目の情報シート１４には、つまみ部１４ａに「クリーム」と、横長枠１４ｂの内側に「つやを出しながら髪をまとめる」と、横長枠１４ｂの下側に「固まらずリッチなつやで髪のばさつきやごわつきを抑えるトリートメントグロークリームです。」と、一対の楕円枠１４ｃの内側に「自然なつや，リッチな仕上がり」と記載されており、一対の楕円枠１４ｃの下側にトリートメントグロークリームの価格，有効成分等が記載されている。
【００２０】
また、４枚目の情報シート１４には、つまみ部１４ａに「ゼリー」と、横長枠１４ｂの内側に「クセ毛を直し、ふんわりボリュームアップ」と、横長枠１４ｂの下側に「固めず、べとつかず、髪に水分を与え、しなやかで健康的な髪に仕上げるトリートメントゼリーです。」と、一対の楕円枠１４ｃの内側に「クセ毛直し，ボリューム調整」と記載されており、一対の楕円枠１４ｃの下側にトリートメントゼリーの価格，有効成分等が記載されている。
【００２１】
また、５枚目の情報シート１４には、つまみ部１４ａに「パテ」と、横長枠１４ｂの内側に「固めずスピーディーにボリュームアレンジ」と、横長枠１４ｂの下側に「マットな質感で髪の動きやボリュームを自由自在にアレンジするスタイリングパテです。」と、両楕円枠１４ｃの内側に「補修，ボリューム自由自在」と記載されており、両楕円枠１４ｃの下側にスタイリングパテの価格，有効成分等が記載されている。なお、上記各情報シート１４には、その右側の四角枠１４ｄの内側に、上記各情報シート１４の各情報に髪形を合わせた女性の顔の写真が載せられている。
【００２２】
上記の構成において、陳列台にテスター品６〜１０を陳列する場合は、各情報シート１４の各情報に合った各テスター品６〜１０を選び、そのテスター品６〜１０の底部を陳列部２の位置決め板１３に穿設した各テスター品挿通穴１７〜２１に挿通し、陳列品載置板１１上に載置する（図１３参照。この図１３では、２種類のテスター品６，１０は隠れて見えない）。
【００２３】
このとき、「髪質・スタイルに合わせて選べる５アイテム」と記載されたＰＯＰ広告板２５を仕切り手段１２の上部に剥離自在に接着することや、略長方形状の紙製シートからなるシール２６（図１４参照）を各テスター品６〜１０の胴部に接着する（図１３では、図示せず）ことが行われる。上記各シール２６には、つぎのことが記載されている。すなわち、１枚目のシール２６には、「軽いセット力でスピーディーにアレンジ」と、２枚目のシール２６には、「美しいスタイルを長時間キープ」と、３枚目のシール２６には、「つやを出しながら髪をまとめる」と、４枚目のシール２６には、「クセ毛を直し、ふんわりボリュームアップ」と、５枚目のシール２６には、「固めずスピーディーにボリュームアレンジ」と記載されており、また、下側の横長枠２６ａの内側に「テスター」と記載されている。
【００２４】
上記のように、この実施の形態では、陳列部２が水平方向に回転するため、この陳列部２を回転させることにより、どの方向から手を伸ばしても、目的とするテスター品６〜１０を手にすることができる。また、関連あるテスター品６〜１０がコンパクトかつ印象的に陳列されているため、顧客へのアピール度が高い。しかも、５枚の情報シート１４をそれぞれ仕切り手段１２の左右一対の仕切り板１２ａの上部に剥離自在に貼着しているだけであり、安価で、スペースをあまり取らない。しかも、陳列するテスター品６〜１０に合わせて各情報シート１４を変えることにより、効果的なＰＯＰ広告等を行うことができる。しかも、位置決め板１３の各溝穴１６ａに仕切り手段１２の各仕切り板１２ａが遊嵌状に係合しているため、位置決め板１３の外周部が上下方向に撓む。したがって、運搬時等に位置決め板１３の外周部に外力が作用しても、上記外周部が撓むだけであり、破損等することがない。
【００２５】
なお、上記実施の形態では、陳列部２にテスター品６〜１０を陳列しているが、製品を陳列してもよい。
【００２６】
【発明の効果】
以上のように、本発明の陳列台によれば、基台に水平方向に回転自在に支受された陳列品載置板上に、複数の仕切り板が陳列品載置板の回転中心を中心としてその回転方向に沿って所定間隔で配設され、これら複数の仕切り板により上記陳列品載置板上の空間が複数の領域に仕切られているため、上記各領域に陳列品を陳列して陳列品載置板を回転させると、この陳列品載置板に対し、どの方向から手を伸ばしても、目的とする陳列品を詳細に観察したり、手にとったりすることができる。しかも、関連ある陳列品をコンパクトかつ印象的に陳列することができるため、顧客へのアピール度が高い。しかも、上記領域を構成する左右一対の仕切り板をまたぐように、その領域に配置される陳列品に関する情報シートが着脱自在に設けられているため、上記左右一対の仕切り板に情報シートを貼着する等、仕切り板を利用して情報シートによるＰＯＰ広告等を行うことができる。したがって、ＰＯＰ広告等が安価に行え、かつ、陳列品の横側方に広いスペースを必要としない。
【００２７】
しかも、上記陳列品の種類に応じて情報シートを交換することにより、各種の陳列品に応じたＰＯＰ広告等が可能になる。
【００２８】
本発明では、上記左右一対の仕切り板の上部に上記情報シートが剥離自在に貼着されているため、専用の支受具等を用いることなく、上記左右一対の仕切り板の上部に情報シートを着脱自在に設けることができ、安価である。
【図面の簡単な説明】
【図１】本発明の陳列台の一実施の形態を示す斜視図である。
【図２】上記陳列台の平面図である。
【図３】上記陳列台の正面図である。
【図４】情報シートを貼着していない状態を示す陳列部の平面図である。
【図５】上記陳列部の正面図である。
【図６】仕切り板の平面図である。
【図７】上記仕切り板の正面図である。
【図８】上記仕切り板の背面図である。
【図９】位置決め板の平面図である。
【図１０】上記位置決め板に固定片を固定した状態を下から見た図である。
【図１１】上記位置決め板に固定片を固定した状態を示す側面図である。
【図１２】情報シートの説明図である。
【図１３】上記陳列台にテスター品を載置した状態を示す斜視図である。
【図１４】シールの説明図である。
【図１５】従来例を示す斜視図である。
【符号の説明】
１  基板
１１  陳列品載置板
１２ａ  仕切り板
１４  情報シート
【図１】
0003710682.tif 000002
【図２】
0003710682.tif 000003
【図３】
0003710682.tif 000004
【図４】
0003710682.tif 000005
【図５】
0003710682.tif 000006
【図６】
0003710682.tif 000007
【図７】
0003710682.tif 000008
【図８】
0003710682.tif 000009
【図９】
0003710682.tif 000010
【図１０】
0003710682.tif 000011
【図１１】
0003710682.tif 000012
【図１２】
0003710682.tif 000013
【図１３】
0003710682.tif 000014
【図１４】
0003710682.tif 000015
【図１５】
0003710682.tif 000016